(57)【要約】【課題】パチンコ球の自重により回転する払出回転体の球噛み等を解消し、払出しを確実なものとする球払出装置を提供する。【解決手段】外周に複数の凸部３７を定ピッチで設けた払出回転体３０を球通路２９に臨ませ、前記球通路２９のパチンコ球を自重で流下させることにより前記払出回転体３０が順方向に回転し、電気的駆動源３３を作動させ前記払出回転体３０の凸部３７間に作動体３２を進出させることにより該払出回転体３０を適宜停止させる球払出装置２４であって、前記作動体３２に前記払出回転体３０の凸部３７の背面に対向し得る当接部８２を形成し、前記作動体３２を前記払出回転体３０の凸部３７間に進出させたとき前記当接部８２によって該払出回転体３０の凸部３７の背面が押圧され球噛み状態にある払出回転体３０を順方向に強制回転させて所定位置に停止せられるようにした。【選択図】  図７
2004267302.tif 000002
【特許請求の範囲】
【請求項１】
外周に複数の凸部を定ピッチで設けた払出回転体を球通路に臨ませ、前記球通路のパチンコ球を自重で流下させることにより前記払出回転体が順方向に回転し、電気的駆動源を作動させ前記払出回転体の凸部間に作動体を進出させることにより該払出回転体を適宜停止させる球払出装置であって、
前記作動体に前記払出回転体の凸部の背面に対向し得る当接部を形成し、前記作動体を前記払出回転体の凸部間に進出させたとき前記当接部によって該払出回転体の凸部の背面が押圧され球噛み状態にある払出回転体を順方向に強制回転させて所定位置に停止せられるようにしたことを特徴とする球払出装置。
【請求項２】
外周に複数の凸部を定ピッチで設けた払出回転体を球通路に臨ませ、前記球通路のパチンコ球を自重で流下させることにより前記払出回転体が順方向に回転し、前記払出回転体に前記凸部と同ピッチで複数の制動用突片が形成され、電気的駆動源を作動させ前記制動用突片間に前記作動体を進出させることにより前記払出回転体を適宜停止させる球払出装置であって、
前記作動体に前記制動用突片の背面に対向し得る当接部を形成し、前記作動体を前記制動用突片間に進出させたとき前記当接部によって該制動用突片の背面が押圧され球噛み状態にある払出回転体を順方向に強制回転させて所定位置に停止せられるようにしたことを特徴とする球払出装置。
【請求項３】
前記払出回転体は凸部の頂点から凸部の背面にわたり該払出回転体の回転中心からの距離が漸次短くなる巴形状に形成してなるものである請求項１又は２に記載の球払出装置。
【請求項４】
前記作動体を回動軸に枢支し、電気的駆動源を作動させることにより前記作動体が回転し前記払出回転体の凸部間に進出するようにするとともに、前記作動体の先端部を前記回動軸を曲率中心とする円弧面状に形成した請求項１又は３に記載の球払出装置。
【請求項５】
前記作動体を回動軸に枢支し、電気的駆動源を作動させることにより前記作動体が回転し前記払出回転体の制動用突片間に進出するようにするとともに、前記作動体の先端部を前記回動軸を曲率中心とする円弧面状に形成した請求項２又は３に記載の球払出装置。
【請求項６】
前記払出回転体の停止位置を検出する検知手段を設け、前記払出回転体が所定の停止位置にないことが前記検知手段により検知されたとき電気的駆動源としてのソレノイドを自動作動させることを特徴とした請求項１乃至５のいずれかに記載の球払出装置。
【発明の詳細な説明】
【０００１】
【発明の属する技術分野】
本発明は、パチンコ遊技機の球払出装置に関するもので、特にパチンコ球の自重により従動回転する回転体を制御することにより払出す球払出装置に関するものである。
【０００２】
【従来の技術】
従来パチンコ球の自重によりパチンコ球を払出す球払出装置は、パチンコ球の自重により回転するスプロケットを球通路に臨ませて、該スプロケットの凸部にソレノイドの可動鉄片を当接させ、ソレノイドの励磁によって前記可動鉄片をスプロケットから離反させて、パチンコ球の自重によりスプロケットを回転させてパチンコ球を払出し、ソレノイドの消磁により前記可動鉄片をスプロケットの凸部に再当接させて、スプロケットの回転を停止させるようにしている（例えば、特許文献１参照。）。
【０００３】
【特許文献１】
特開平４−２５６７６７号公報
【０００４】
【発明が解決しようとする課題】
ところで、従来の球払出装置は、スプロケットの凸部にソレノイドの可動鉄片を当接することによって該スプロケットの回転を停止させるため、高速の払出しは可能であるものの、高速の払出しを行うとパチンコ球の供給が間に合わず、パチンコ球間に隙間が生じ、スプロケットの回転とタイミングが合わず球噛みを起し、球払出装置としての品質信頼性が損なわれる上、遊技性も損なわれるという問題があった。
【０００５】
そこで本発明は、従来技術の有するこのような問題点に鑑みてなされたものであり、その目的とするところは、パチンコ球の自重により回転する回転体を常に正規位置に位置させ、確実な払出しを可能とする球払出装置を提供しようとするものである。
【０００６】
【課題を解決するための手段】
上記目的を達成するために、請求項１記載の発明は、外周に複数の凸部を定ピッチで設けた払出回転体を球通路に臨ませ、前記球通路のパチンコ球を自重で流下させることにより前記払出回転体が順方向に回転し、電気的駆動源を作動させ前記払出回転体の凸部間に作動体を進出させることにより該払出回転体を適宜停止させる球払出装置であって、前記作動体に前記払出回転体の凸部の背面に対向し得る当接部を形成し、前記作動体を前記払出回転体の凸部間に進出させたとき前記当接部によって該払出回転体の凸部の背面が押圧され球噛み状態にある払出回転体を順方向に強制回転させて所定位置に停止せられるようにしたことを特徴とする。ここでいう「所定停止位置」とは、前記払出回転体が球荷重で回転し得る状態に停止している位置を意味する。また、「球噛み状態」とは、前記払出回転体が球荷重で回転し得ない状態を意味する。また、「凸部の背面」とは払出回転体の回転面内であり、パチンコ球を払出す順方向の回転側に対し、パチンコ球を支持する側を意味する。
【０００７】
請求項２記載の発明は、外周に複数の凸部を定ピッチで設けた払出回転体を球通路に臨ませ、前記球通路のパチンコ球を自重で流下させることにより前記払出回転体が順方向に回転し、前記払出回転体に前記凸部と同ピッチで複数の制動用突出体が形成され、電気的駆動源を作動させ前記制動用突出体間に前記作動体を進出させることにより前記払出回転体を適宜停止させる球払出装置であって、前記作動体に前記制動用突出体の背面に対向し得る当接部を形成し、前記作動体を前記制動用突出体間に進出させたとき前記当接部によって該制動用突出体の背面が押圧され球噛み状態にある払出回転体を順方向に強制回転させて所定位置に停止せられるようにしたことを特徴とする。ここでいう「突出体」とは、円柱ピン，角柱ピン等の軸状のものまたは板状のものを含み、必ずしも対称形である必要はない。このように、突出体を設けることで作動体が直接払出回転体を制御することがなく該払出回転体が損傷することがない。
【０００８】
請求項３記載の発明は、請求項１又は２記載の発明において、前記払出回転体は凸部の頂点から凸部の背面にわたり該払出回転体の回転中心からの距離が漸次短くなる巴形状に形成してなるものであり、凹部へのパチンコ球の受入れを素早くして高速の払出しを可能とした。
【０００９】
請求項４記載の発明は、請求項１又は３に記載の発明において、前記作動体を回動軸に枢支し、電気的駆動源を作動させることにより前記作動体が回転し前記払出回転体の凸部間に進出するようにするとともに、前記作動体の先端部を前記回動軸を曲率中心とする円弧面状に形成した。前記凸部と係合する作動体の制御面をほぼ回転軸を中心とする円弧面状とすることから、停止時の作動体への球荷重は回動軸に掛かることになり、払出回転体を確実に制御することができる。
【００１０】
請求項５記載の発明は、請求項２又は３に記載の発明において、前記作動体を回動軸に枢支し、電気的駆動源を作動させることにより前記作動体が回転し前記払出回転体の制動用突片間に進出するようにするとともに、前記作動体の先端部を前記回動軸を曲率中心とする円弧面状に形成した。前記突出体と係合する作動体の制御面をほぼ回転軸を中心とする円弧面状とすることから、停止時の作動体への球荷重は回動軸に掛かることになり、払出回転体を確実に制御することができる。
【００１１】
請求項６記載の発明は、請求項１乃至５のいずれかに記載の発明において、前記払出回転体の停止位置を検出する検知手段を設け、前記払出回転体が所定の停止位置にないことが前記検知手段により検知されたとき電気的駆動源としてのソレノイドを自動作動させることを特徴とした。ここでいう「停止位置」とは前記作動体が前記払出回転体の回転を制御して停止する位置を意味する。
【００１２】
また、前記突出体を前記払出回転体と一体的に回転する回転制御体に設けるようにしてもよい。このように、回転制御体を設けることで突出体を設ける場所に規制されることがない。
【００１３】
前記作動体は嘴状に尖った先端部を有するのが好ましく、前記突出体間へ突入しやすくするのがよい。
【００１４】
前記突出体を板状のものとし、前記払出回転体に放射状となるように設けるのが好ましく、前記払出回転体が回転することにより周辺の空気を拡散し、生じる風を電気的駆動源に当てることで該電気的駆動源を冷却することができるので、電気的駆動源が頻繁に作動したとき等に従来生じていた過熱を防止することができる。
【００１５】
また、前記凹凸部の整数倍の突出体を所定間隔で設けた回転制御体を連繋手段を介して前記払出回転体に従動回転するように設けるようにしてもよい。また、前記連繋手段はギア，ベルト，チェーンであり、ギア等を介することで回転制御体と払出回転体の回転速度を変更することができるので、回転制御体が制御しやすくなり過剰切りを惹き起すことなく確実な制御ができる。
【００１６】
前記球通路は、パチンコ球が複列又は半複列に流下する幅広とするのが好ましく、該球通路にパチンコ球の球心がずれてランダムに連続して並びその流下方向のパチンコ球の球心間がパチンコ球の径より小となることから、払出時にパチンコ球間に間隙が生じることなく、間断なく払出回転体に供給でき高速の払出しに対応することができる。
【００１７】
前記作動体を作動する電気的駆動源は、ソレノイド，正逆モータ，ロータリーソレノイドである。また、作動体はリンク部材を介して可動するようにしてもよい。
【００１８】
前記球通路に払出回転体から払出された直後のパチンコ球を検出する検知センサを設けるのが好ましい。また、払出回転体に支持される最先のパチンコ球を検知する検知センサを設け、球通路のパチンコ球の有無を検知するようにしてもよい。そして、該検知センサで所定個数のパチンコ球が検知されないことを条件に前記電気的駆動源を作動させるようにするのがよい。
【００１９】
外周に複数の凸部を定ピッチで設けた払出回転体を球通路に臨ませ、前記球通路のパチンコ球を自重で流下させることにより前記払出回転体が順方向に回転し、前記払出回転体に前記凸部と同ピッチで複数の制動用突出体が形成され、電気的駆動源を作動させ前記制動用突出体間に前記作動体を進出させることにより前記払出回転体を適宜停止させる球払出装置であって、前記制動用突出体の背面に前記作動体の前面に対向し得る当接部を形成し、前記作動体を前記制動用突出体間に進出させたとき該作動体が前記当接部を押圧し球噛み状態にある払出回転体を順方向に強制回転させて所定位置に停止せられるようにしてもよい。ここでいう「作動体の前面」とは払出回転体の順方向側の面を示す。
【００２０】
なお、本発明の球払出装置は、貸球または賞球用の球払出装置に限られることなく、パチンコ遊技機間に設けられる球貸し機、球タンクへの補給機として適用することができる。さらに、本発明の球払出装置が高速の払出しに対応できることから、パチンコ球を賭数として回収して変動図柄を揃える「パチロット」の賭数回収装置及び賞球払出装置にも適用することができる。
【００２１】
【発明の実施の形態】
本発明の実施の形態について図面を参照して説明する。図１はパチンコ遊技機の正面図、図２はパチンコ遊技機の裏面図である。図において、１はパチンコ遊技機の機枠であり、該機枠１の前面に合成樹脂又はベニヤ等の木材によってほぼ中央部に窓孔を有する額縁状に形成された前面枠２が開閉可能に取付けられている。前記前面枠２の前面にはガラス扉枠３と前面板４とが開閉自在に装着されており、その前面板４の前面に打球を供給する上部球受皿５が取付けられている。また、前面枠２の下部には前記上部球受皿５から溢出る余剰球を貯留する下部球受皿６及びパチンコ球の弾発力を調節する操作ハンドル７が設けられている。
【００２２】
前記前面枠２の窓孔の後部位置には遊技盤８が設けられ、該遊技盤８の前面には打球を遊技領域８ａ誘導するガイドレール９が配設されている。そして、このガイドレール９によって囲まれる遊技領域８ａのほぼ中央に可変表示装置１０が設けられ、下方に始動入賞口１１，一般入賞口１２，可変大入賞口１３が配設されている。
【００２３】
一方、前面枠２の裏面には遊技盤８の全体を覆うように合成樹脂製の機構板１５が開閉自在に装着されており、その遊技盤８の裏面と相対する機構板１５の開口窓１６下部に前記始動入賞口１１，一般入賞口１２，可変大入賞口１３に入賞し入賞球検出器で検出された入賞球を集合する入賞球集合部１７が形成されている。そして、前記入賞球集合部１７の下方であり、かつ平坦面として形成された板状部に球払出制御基板１８が設置されている。１９は遊技盤８の裏面に設置され、前記開口窓１６から臨む大型の基板ボックスであり、該基板ボックス１９には遊技機全体の遊技動作を制御する遊技制御基板が収納されている。
【００２４】
また、機構板１５の裏面上部にはパチンコ球を貯留する球タンク２０が設けられており、該球タンク２０の球出口から導出されたパチンコ球がランダムな状態で流下する約２０ｍｍ幅の供給通路２１を有する球誘導樋２２及び開口窓１６の側方に位置して屈曲誘導樋２３が設けられ、この屈曲誘導樋２３の下流端に球払出装置２４が接続される。
【００２５】
また、前記球払出装置２４の下方に位置して該球払出装置２４から払出されたパチンコ球を前面枠２の前面の上部球受皿５に導く球排出樋２５と、該上部球受皿５にパチンコ球が充満したとき、その余剰球を下部球受皿６に導く余剰球通路２６が後面を開口した樋状として形成されており、その後面開口がカバー板２７によって覆われている。
【００２６】
次に、図３乃至図７を参照して球払出装置２４の構成について説明する。球払出装置２４は、箱枠状のケース体２８に前記屈曲誘導樋２３の供給通路２１と連通する球通路２９と、該球通路２９に臨み最先のパチンコ球を制御支持しパチンコ球の荷重により回転する払出回転体３０と、前記払出回転体３０の回転を制御する制御手段３１とを備え構成している。前記ケース体２８は、前記球通路２９が形成される本体２８ａと該球通路２９を閉塞する仕切板２８ｂとカバー体２８ｃとで構成されている。
【００２７】
前記球通路２９は、図６に示すように始端部を前記屈曲誘導樋２３の供給通路２１と同幅であり払出回転体３０の回転方向にパチンコ球が２個並ばない約２０ｍｍの通路幅として、下流に向うに従い湾曲壁３５によってほぼパチンコ球１個分に漸次絞られた流入通路部２９ａと、払出回転体３０に沿った円弧状の移送通路部２９ｂと、前記払出回転体３０の支持から外れて払出される傾斜状の排出通路部２９ｃとで構成されている。前記排出通路部２９ｃは、払出回転体３０の高速回転（１分間に８００個以上の払出し回転，１ｋｍ／時以上）によって巻き込むように払出されるパチンコ球が、側壁に衝突しないように幅広の傾斜状に形成されている。また、前記排出通路部２９ｃを払出回転体３０に沿った円弧状の通路としてもよい。
【００２８】
前記払出回転体３０は、図６に示すように外周に凹凸部としての凹凸歯３６，３７を複数（本実施の形態において５個）設けたスプロケットタイプで、前記球通路２９内でパチンコ球を凹歯３６で受入れて、該パチンコ球の重量が該払出回転体３０に回転トルクを及ぼすように軸支３９して、パチンコ球を凹凸歯３６，３７で支持しパチンコ球を自重で流下させることにより、順方向に従動回転するようにしている。前記凸歯３７の頂点から凸歯３７の背面にわたり、払出回転体３０の回転中心３９からの距離が漸次減少する巴形状として、凸歯３７で支持されたパチンコ球を凹歯３６に素早く受入れるようにしている。このため、高速回転による払出しに対応することができる。なお、払出回転体３０は合成樹脂に限らず、強度及び静電気除去を目的として合成樹脂に金属繊維を混合したもの，アルミ合金等のダイカストまたはマグネシウムをチクソーモールディングで成形する等金属で成形したものであってもよい。
【００２９】
前記制御手段３１は、図４に示すように前記払出回転体３０の軸方向側方に位置して前記凹凸歯３６，３７と同ピッチで突出して設けられる制御用突出体としての軸ピン３８と、電気的駆動源の作動によって前記軸ピン３８，３８間に進退動し払出回転体３０の回転停止制御を行う作動体３２とを備えている。前記軸ピン３８は、前記凹歯３６と同数（５個所）設けられた円柱ピンである。なお、前記軸ピン３８は円柱ピンに限定されることなく多角柱等の軸状の突出体であってもよく、好ましくは作動体３２と接触する少なくとも回転方向側を円弧面状に形成するのがよく、蒲鉾状の半円柱としてもよい。
【００３０】
一方、前記作動体３２は、図４に示すように前記払出回転体３０の回転方向側方に位置して、リンク部材６５を介して電気的駆動源としてのソレノイド３３により可動するようにしている。前記作動体３２は、前記払出回転体３０の所定停止位置で前記軸ピン３８を受止めて回転を制御する制御部と前記払出回転体３０が不規則な位置で停止したときに前記軸ピン３８と接触し所定停止位置へ誘導する規制部を有する。前記作動体３２は、回動軸３４によって鉛直面内で揺動自在に枢支され、先端部を前記軸ピン３８間に進出しやすいように嘴状に尖らせて、前記制御部としての制御面３２ａを該作動体３２の回動軸３４がほぼ曲率中心である円弧面状に形成している。また、前記規制部として前記軸ピン３８の背面に対向し得るように作動体３２の払出回転体３０側内面に当接部８２を形成している。そして、前記払出回転体３０が球噛み等で不規則な位置で停止したときに、前記突出体としての軸ピン３８間に進出して該軸ピン３８の背面と接触して順方向への回転トルクを付与し、前記払出回転体３０が球荷重で回転し得る状態（所定停止位置）に復帰誘導させるようにしている。該当接部８２は、前記払出回転体３０が球噛み状態（払出回転体３０が球荷重で回転し得ない状態）にあるときにのみ接触するようにするのが好ましい。そして、作動体３２は前記払出回転体３０の軸支３９位置より上方位置で作動体３２の先端部を前記軸ピン３８，３８間に進退動させて、該軸ピン３８を前記制御面３２ａで支持することにより、払出回転体３０の回転を正規位置で制御し得るように設けられている。
【００３１】
前記作動体３２は基部に透孔４０が開設され、該透孔４０に略く字状に形成したリンク部材６５の係合ピン６６を係合させている。また、リンク部材６５は、作動体３２の下方に位置して軸６７により回動自在に軸着され、後端に二股状の係合部６８が形成されており、ソレノイド３３のプランジャ４１に固着された操作体６９の突片７０を係合させている。そして、ソレノイド３３を励磁することによってプランジャ４１がスプリング４２の弾性に抗して牽引されることから、リンク部材６５を介して該作動体３２が回動軸３４を中心として回転するように構成されている。なお、作動体３２の配設位置は限定されるものではなく、払出回転体３０の周方向に移動可能であり、前記払出回転体３０の軸支３９位置より下方位置で、軸ピン３８を前記制御面３２ａで支持するようにしてもよい。というのも、例え作動体３２が逆さになった状態としても軸ピン３８が制御面３２ａに係止することになり、どの状態で係止しても払出回転体３０の荷重を回動軸３４で受けることになるため、作動体３２が誤作動することはない。
【００３２】
なお、前記作動体３２をリンク部材６５を介して電気的駆動源としてのソレノイド３３と連繋するようにしたが、リンク部材６５を介すことなく作動体３２に二股状の係合部等を形成し、ソレノイド３３のプランジャ４１のプランジャヘッドに直接係止させて、作動体３２をソレノイド３３と連繋するようにしてもよい。
【００３３】
また、前記排出通路部２９ｃには、払出回転体３０の凹歯３６の支持から解放され、払出された直後のパチンコ球を検知して計数する検知センサ４７を設けている。該検知センサ４７は、発光部４７ａと受光部４７ｂからなる光学式センサであり、排出通路部２９ｃの中心線からずれた位置（排出通路部２９ｃの側壁から２．５ｍｍ〜５．５ｍｍ離間した位置）でその光軸が交差するように配置され、前記払出回転体３０による拘束から解放されたパチンコ球が光軸を遮ることで、該パチンコ球を検知し得るように配置される。なお、発光部４７ａ及び受光部４７ｂの光を通すスリットは、図６に示すようにパチンコ球の流下方向に対して直交状に設けられ、その幅は約１ｍｍである。これにより、パチンコ球の検出時間が長くなり高速の払出し（１分間に１８００個の払出し）に対応できるようにしている。なお、受光部４７ｂ側のスリットを１．５ｍｍとしてもよい。また、この実施の形態では検知センサ４７を、発光部４７ａと受光部４７ｂとが別体に形成されたものとしたが、当然発光部４７ａと受光部４７ｂとが一体式のものであってもよい。さらに、検知センサ４７は光学式のものに限定されることはなく、電磁式，静電容量式等の検知形式のセンサを使用することも可能である。このとき、パチンコ球が払出されてからセンサに検知されるまでのタイムラグを踏まえ、過剰払出しを防止するために、払出回転体３０の凹歯３６間の凸歯３７距離を適宜長くするのが好ましい。なお、前記検知センサ４７は、凹歯３６の支持から解放される直前のパチンコ球を検知するようにしてもよい。また、前記移送通路部２９ｂに、払出回転体３０に支持される最先のパチンコ球を検知して、パチンコ球の有無を検出する検知センサを設けるようにしてもよい。また、払出回転体３０が球荷重によってのみ回転することから、直接パチンコ球を検知することなく払出回転体３０の回転を検知するようにしてもパチンコ球の有無を検知することができる。
【００３４】
上記構成の球払出装置２４は、常態では図４に示すように、ソレノイド３３が消磁状態でプランジャ４１に巻装したスプリング４２の付勢により作動体３２の先端部が軸ピン３８，３８間に突出して、前記当接部８２により軸ピン３８を押して、払出回転体３０の回転を促し払出回転体３０をほぼ正規位置に誘導している。そして、球通路２９にパチンコ球が供給されると、図６に示すように最先のパチンコ球が払出回転体３０の凸歯３７で受けられると共に、該パチンコ球の荷重により払出回転体３０が回転しようとするも、軸ピン３８，３８間に突入した作動体３２の制御面３２ａで軸ピン３８を受けて払出回転体３０の回転を停止制御する。このとき、作動体３２の制御面３２ａが回動軸３４を中心とした真円弧面であるため、軸ピン３８にかかる流入通路部２９ａ内のパチンコ球の荷重は、すべて作動体３２の回動軸３４に向い該回動軸３４で受けることになり、球荷重により作動体３２を無用に回動させることはなく、確実に払出回転体３０の停止状態を保持することができる。
【００３５】
この状態で、入賞または貸球操作が行われると、球払出制御基板１８から球払出装置２４に球払出指令信号が発せられる。そして、その信号により図４鎖線に示すようにソレノイド３３が励磁し、それに伴い作動体３２が同図矢印方向に回動して、軸ピン３８との接触が解除されて払出回転体３０がフリー状態となる。このため、払出回転体３０が球通路２９のパチンコ球の荷重により同図矢印方向に回転し、図６鎖線に示すように凹歯３６の支持から解放されたパチンコ球は球検知センサ４７により検知計数される。このとき払出されるパチンコ球は、前記払出回転体３０に沿った円弧状の移送通路部２９ｂにより流速を制御されて払出回転体３０の盲動を防止するようにしている。
【００３６】
そして、この状態で球検知センサ４７により、所定数のパチンコ球の払出しが計数されると、ソレノイド３３が消磁してスプリング４２の付勢により作動体３２を図４実線位置に回動し、先端部が軸ピン３８，３８間に突出して該軸ピン３８を制御面３２ａで受止め、払出回転体３０の回転を停止制御する。このとき、凹歯３６に支持された最先のパチンコ球はまだ移送通路部２９ｂ内に位置している。
【００３７】
また、万一連続の払出し等により球払出装置２４への補給が追いつかなくなり、パチンコ球間に隙間が生じ、図７に示すように凸歯３７の先端と球通路２９の側壁でパチンコ球を挟んで球噛みしても、同図鎖線に示すように作動体３２の復帰時に前記当接部８２が軸ピン３８を押して払出回転体３０に矢印に示す順方向の回転トルクを付与して回転を促し、球噛みを確実に解除し、払出回転体３０を図４実線に示すように作動体３２で前記払出回転体３０の回転を制御した正規位置に誘導して、制御面３２ａで軸ピン３８を支持して確実に制御する。また、払出し途中に球噛みが発生した際には、前記球検知センサ４７により所定個数のパチンコ球が検出されないことから、所定時間後異常と判断してソレノイド３３を所定回数消励磁の作動を繰り返すようにして、作動体３２を作動して払出回転体３０を揺するようにして回転を促し球噛みを解消することができる。このように、万一球噛みが発生して払出回転体３０が球荷重により回転できなくなっても、作動体３２の復動により確実に前記作動体３２の制御面３２ａで前記突出体としての軸ピン３８を受ける状態（図４実線位置）、つまり作動体３２の解除により払出回転体３０が球荷重で回転し得る正規位置とすることができる。なお、球噛み時の軸ピン３８位置と当接部８２間に隙間を設けるのが好ましく、その隙間が助走となり当接部８２が軸ピン８２に多少勢いをつけて当接し、確実に払出回転体３０を順方向に回動させることができる。
【００３８】
さらに、常に作動体３２の回動軸３４を中心とした真円弧面である制御面３２ａで軸ピン３８を支持し回転を制御することから、球荷重は必ず回動軸３４で受けられることになる。しかも、作動体３２の作動時も制御面３２ａが真円弧面であるために、軸ピン３８，３８間をスムーズに進退することができて負荷も少なく、払出回転体３０の停止及び解除を確実なものとすることができる。そのため、ソレノイド３３の吸引力は小さくてもよく、ソレノイド３３の小型化ができてコストの低減を図ることができる。
【００３９】
また、球通路２９の通路形状、特に流入通路部２９ａの通路幅をパチンコ球がランダムに並ぶ幅広にすると共に、湾曲壁３５によってほぼパチンコ球１個分に漸次絞られることにより、湾曲壁３５で流速が弱められるブレーキ効果が得られる。しかも、図６に示すように該球通路２９の流入通路部２９ａに位置するパチンコ球の球心がずれて、その流下方向の球心間がパチンコ球の径より小となり、高速回転で払出しが行われてもパチンコ球間に隙間が生じ難くなり、いわゆる「大当り」になって短時間に大量の賞球が払出される際にも、払出回転体３０に間断なく供給され確実に払出しが行われる。なお、前記湾曲壁３５を流速規制部として、該湾曲壁３５の湾曲率を変えることで減速度合を調整することができる。例えば、湾曲壁３５の湾曲率を大きくすると滑らかな湾曲になるため減速度合が小さくなって流速が速くなり、逆に湾曲率を小さくすると減速度合が大きくなってブレーキ効果が強くなる。当然それに伴って払出回転体３０の払出し速度が変化し、１分間の最大払出し個数が変化することになる。
【００４０】
また、高速の回転で払出しが行われると、凹歯３６で咥えられたパチンコ球を払出回転体３０の回転方向に運ぶ作用が生じるが、移送通路路部２９ｂが軸心３９の側方から下方にかけて払出回転体３０を巻回するように下傾状に設けられているため、凹歯３６で咥え込みながら払出回転体３０に沿って移送され、パチンコ球の拘束を無理なく解除して確実に払出すことができる。しかも、前記検出センサ４７が払出回転体３０の回転方向に相対する側壁に沿って位置をずらして設けられているため、払出されたパチンコ球がチャタリングを起すことなく確実に検出されることになる。
【００４１】
また、高速の払出しに伴ってパチンコ球の検出信号と静電気等によるノイズとが区別しづらくなり、パチンコ球の検出信号を確実に識別するために、パチンコ球の検出時に１０（ｍｓ）の波形（検出時間）を得るようにするのが好ましい。そのために、センサ４７を流下方向に例えば６ｍｍの間隔を隔てて複数並列して設け、パチンコ球の検出時間を長くして１０（ｍｓ）の波形を得るようにするのがよい。なお、このとき発光部４７ａを１つとして、この１つの発光部４７ａから発光した光を複数の受光部４７ｂで受光するようにしてもよい。このとき、センサ４７は排出通路部２９ｃの側壁から約４．５ｍｍ離間した球心に近い位置でその光軸が交差するように配置し、発光部４７ａのスリット幅を１．５ｍｍとし、上流側の受光部４７ｂと下流側の受光部４７ｂのスリット幅を異ならせ、それぞれ１．５ｍｍと１ｍｍとするのが好ましい。このように上流側を１．５ｍｍのスリット幅とすることで、パチンコ球間の波形（非検出時間）も適宜得ることができる。さらに、高速の払出しによって払出回転体３０の凹歯３６で咥え込まれたパチンコ球が、払出回転体３０の回転方向に運ばれるのに対応するために、複数のセンサ４７を流下方向に所定間隔を隔てて複数並列して設けるようにしてもよく、例えば側壁から４ｍｍと６．５ｍｍというように複数のセンサ４７のそれぞれを排出通路部２９ｃの幅方向にも位置をずらして設けるようにすればよい。なお、電気的駆動源をソレノイド３３とした際には、パチンコ球間の波形（非検出時間）はパチンコ球検出時の１０（ｍｓ）の波形より長い１５〜２０（ｍｓ）として、ソレノイド３３を停止制御しやすくするのがよい。
【００４２】
なお、球通路２９の形状及び通路幅はこの実施の形態に限定されるものではなく、例えば流入通路部２９ａの始端をパチンコ球が復列で流下し得る幅広の通路幅として、下流側で漸次絞るようにして払出回転体３０で払出すようにしても、球通路２９全体をほぼパチンコ球１個分の通路幅を有する垂直状としてもよい。但し、流入通路部２９ａをパチンコ球１個分の通路幅とすると流速が速くなり、供給が間に合わずパチンコ球間に隙間が生じて払出回転体３０で球噛みが発生する等の不具合が生じる怖れがあるため、流入通路部２９ａの内面に０．５ｍｍから１ｍｍ程度の僅かな突起を設けると共に、該突起と相対する壁面を該突起よりも２〜３ｍｍ程度余分に膨出して僅かに幅広に湾曲させ、パチンコ球を迂回させるようにして流速を弱めるようにするのがよい。このことは、図６に示す湾曲壁３５によってほぼパチンコ球１個分に絞られた個所に設けるようにしてもよい。
【００４３】
また、前記実施の形態において、球噛み等により払出回転体３０が回転せずパチンコ球が所定個数払出されないことを条件にソレノイド３３を所定回数励磁・消磁を繰返して、当接部８２により払出回転体３０の回転を促し球噛みを解消して作動体３２と係止するようにしたが、図８に示すように作動体３２が突出体３８に係止し、払出回転体３０が球荷重で回転し得る状態の正規の停止位置を検出する検知手段としてのセンサ８５を設け、前記払出回転体３０が所定の停止位置にないことが前記センサ８５により検知されたとき、前記ソレノイド３３を所定回数自動作動して励磁・消磁を繰返し、前記当接部８２により払出回転体３０を正規位置に復帰誘導させるようにしてもよい。図上センサをマイクロスイッチ８５として、凸歯３７がレバー片８６を押圧することでスイッチがオンとなり、所定時間オン状態を検知することにより正規位置に停止していると判断する。つまり、マイクロスイッチ８５で所定時間検知しないことを条件にソレノイド３３を作動させるようにすればよい。なお、センサは光学式センサであってもよく、作動体３２が突出体３８に係止した状態の正規位置で凸歯３７又は凹歯３６を検知するように配設すればよい。
【００４４】
図９及び図１０は、払出回転体３０の幅方向と同じ球通路２９の始端通路幅を、パチンコ球が２個並列可能な２４ｍｍとして、下流側をリブ壁７４によって略パチンコ球１個分に縮幅した実施の形態を示している。なお、この実施の形態の制御手段３１は、前記実施の形態と同じであるため同じ構成要素には同一符号を付して説明する。また、払出回転体３０は、合成樹脂により成形され、図９及び図１０に示すように複数のパチンコ球を支持し得る寸法を有するドラム状の円柱形状をしており、その胴部外周面であり前記球通路２９の中央と相対する部位に軸方向と平行な凹凸部７６，７７を複数（本実施の形態では各６条）定ピッチで連続的に形成し、凸部７７から凹部７６にかけて軸心３９からの距離が漸次減少するように下傾した巴形状として、全体形状を流線曲面をなすように形成している。これにより、パチンコ球は球受凹部７６にスムーズにかつ素早く受入れられ、高速回転に対応することができる。そして、前記凹部７６の一側端に、回転方向に向かって凹部７６毎で交互となるように、上面が凹部７６側に下傾する円弧突部７３を突設している。つまり、払出回転体３０の両端部に、弧状突部７３が前記各凹部７６毎で左右交互となるように形成されている。ここでいう「円弧突部」とは、前記凹部７６に確実にパチンコ球を１個のみ受入れるようにするものであり、パチンコ球の球心が前記凹部７６寄りに位置して接触するように形成される。なお、前記凹部７６は６条に限定されるものではなく２，４，８…条であってもよく、但し前記弧状突部７３が凹部７６側方の交互に設けられることから、必ず偶数となる。また、前記払出回転体３０はアルミ合金等によりダイカスト成形してもよく、当然のことながら強度に優れ、しかもパチンコ球に帯電した静電気を放電することができて、静電気による障害を未然に防止することができる。
【００４５】
次に、上記構成からなる球払出装置２４の払出し動作について図９及び図１０を参照して説明する。図９実線に示すようにソレノイド３３が消磁して、作動体３２が軸ピン３８，３８間に突入し払出回転体３０の回転を制御している状態で、凹部７６にパチンコ球が受入れられていないときに球通路２９にパチンコ球が供給されると、弧状突部７３により前記凹部７６にパチンコ球を誘導し、図９及び図１０に示すように最先のパチンコ球Ｂ１が凹部７６に受入れられる。そして、後続のパチンコ球Ｂ２が前記パチンコ球Ｂ１及び弧状突部７３に支持され、さらに後続のパチンコ球Ｂ３…は球通路２９に連続してランダムに連なって待機する。この状態で、前記球払出制御基板１８からの払出信号によりソレノイド３３が励磁すると、図９鎖線に示すように作動体３２が作動して軸ピン３８との係合が解除され、払出回転体３０は図９において矢印で示す時計回り方向にパチンコ球の荷重により回転し、球通路２９のパチンコ球Ｂ１は、凹部７６に受入れられつつ移送通路部２９ｂの傾斜状のリブ壁７４によって中央に移動しながら徐々に下降する。そして、払出回転体３０の回転に伴い前記弧状突部７３で支持されたパチンコ球Ｂ２は、前記パチンコ球Ｂ１及び弧状突部７３の支持から外れて後続の凹部７６に受入れられる。さらに、払出回転体３０が回転すると図１０鎖線に示すように、凹部７６に受入れられたパチンコ球Ｂ１は拘束を解かれて排出通路部２９ｃに排出され、検出センサ４７により検知される。このとき、後続のパチンコ球Ｂ２は凹部７６に受入れられ、さらに後続のパチンコ球Ｂ３は他側の弧状突部７３に支持されると共に該弧状突部７３の傾斜面により前記凹部７６に受入れられたパチンコ球Ｂ２にも支持される。
【００４６】
このようにして、流入通路部２９ａのパチンコ球Ｂ１，Ｂ２…は、払出回転体３０の回転によって凹部７６の側方に交互に設けられた弧状突部７３で支持され、該弧状突部７３の傾斜面により幅方向のパチンコ球が順次凹部７６に受入れられ、排出通路部２９ｃで１個ずつセンサ４７の光軸を遮りながら落下し、球排出樋２５に排出されることになる。そして、所定個数の払出しが行われ、パチンコ球がセンサ４７により検知されると、図９実線に示すようにソレノイド３３が消磁して、作動体３２が軸ピン３８，３８間に突入し払出回転体３０の回転を確実に停止する。このとき、図１１（イ）に示すように万一凸部７７の先端と移送通路部２９ｂの側壁とで球噛みが発生しても、前記実施の形態と同様に図１１（ロ）に示すように当接部８２により軸ピン３８の背面を押して球払回転体３０の順方向へ強制的に回転を促し、球噛みを解消し図９及び図１１（ロ）鎖線に示す前記作動体３２の制御面３２ａで前記軸ピン３８を受ける状態に導くことができる。
【００４７】
なお、図上移送通路部２９ｂをリブ壁７４によって徐々に中心側に絞り込んで、排出通路部２９ｃをパチンコ球のほぼ１個程度としたが、移送通路部２９ｂ及び排出通路部２９ｃを流入通路部２９ａと同じ幅広としても、払出回転体３０の構成により１個ずつの払出しは可能である。
【００４８】
また、前記軸ピン３８に回転自在なローラーを設けて、該ローラーが作動体３２と接触するようにして、該作動体３２の進退時における軸ピン３８との接触抵抗を小さくするようにして、球噛みの発生を少なくすると共に当接部８２による球噛み解消もしやすくなる。このようにしても、球荷重は確実に作動体３２の回動軸３４に掛かることになるので、作動体３２を誤作動させることはなく何等問題はない。
【００４９】
また、実施の形態において、前記払出回転体３０の側方に設ける突出体として軸ピン３８を突設するようにしたが、突出体を作動体３２との接触時の衝撃に強くなるように板状の立壁としてもよい。図１２に示すようにこの実施の形態の突出体を回転方向にやや螺旋状に湾曲した板状の立壁７５として基部を環状に連ならせ、前記払出回転体３０の側面に支軸３９を中心とした放射状となるように設けるようにしている。そして、当接部８２は、払出回転体３０の静止時に突出体としての立壁７５のほぼ真後ろに位置している。なお、前記実施の形態と異なる点は主として突出体の形状であり、同じ構成要素には同一符号を付して説明する。この実施の形態において、流入通路部２９ａは払出回転体３０を回転させる方向に球圧が付与するように緩やかに屈曲（Ｒ４０の円弧）して形成されている。また、排出通路部２９ｃは、払出回転体３０の高速回転によって巻き込むように払出されるパチンコ球が、側壁に衝突し払出回転体３０の回転が乱れ、それに伴い後続のパチンコ球の流下態様に影響を及ぼし、球噛み或いはパチンコ球が踊り検知センサ４７でチャタリングを起し、誤作動を惹き起す等の不具合を解消するために、側壁位置をほぼ支軸３９直下に位置して幅広に形成されている。好ましくは、移送通路部２９ｂ及び排出通路部２９ｃの内壁に検知センサ４７で検知されるパチンコ球の幅方向への移動を規制する規制リブを設けるのがよく、パチンコ球がずれないように通路の内径をほぼパチンコ球の径に等しい１１．５ｍｍに規制するのがよい。なお、流入通路部２９ａは図３乃至図６で示した実施の形態のように上流側を幅広の通路としてもよく、その拡幅方向は限定されるものではない。また、作動体３２はリンク部材を介在させることなく、後端に二股状の係合部６８を形成し上端を軸支３４して、払出回転体３０の支軸３９より下方であり軸支３４直下より作用方向側で突出体としての立壁７５と確実に接触係合するようにしており、作動体３２と接触する回転方向側を作動体３２の制御面３２ａとほぼ同形状としている。このとき、制御面３２ａは支軸３４を中心とした円弧面とするのが好ましい。
【００５０】
そして、ソレノイド３３が励磁されて払出しが行われ、万一凸歯３７の先端でパチンコ球が噛んでも、図１２鎖線に示すように作動体３２の復動時に当接部８２により立壁７５の後面を押して、払出回転体３０の順方向への回転を強制的に促すので確実に球噛みが解消し、図１２実線に示すように払出回転体３０を球荷重で回転し得る状態に復帰させることができる。なお、当接部８２は、立壁７５の背面に対向し得るように設けられ、ソレノイド３３の励磁時に球噛みした際に該当接部８２と立壁７５の背面間に所定間隔が生ずるように設けるのが好ましく、ソレノイド３３の消磁時に復動する復動力を利用することで払出回転体３０を強制的に回動させることができる。
【００５１】
また、突出体を板状の立壁７５とすることにより、作動体３２との接触時の衝撃にも強くなると共に、前記立壁７５を放射状となるように設けることで該立壁７５が羽根となり、前記払出回転体３０が回転することにより周辺空気が拡散され、生じる風をソレノイド３３に当てることで該ソレノイド３３を冷却することができるという効果を奏する。このため、ソレノイド３３が頻繁に作動したとき等に生じていた過熱を防止することができ、熱によるソレノイド３３の能力低下をきたすことがなく、予め容量の小さいソレノイドとすることができ、コストの低減化を図ることができる。なお、他のソレノイドの過熱防止として、ソレノイド３３を励磁して作動体３２と突出体との係止を解除した状態で、所定個数の払出しが検知されるまでプランジャ４１が復動しないようにオン・オフ制御を連続して行うようにしてもソレノイドの過熱を防止することができる。なお、少なくとも前記作動体３２と接触する回転方向側を円弧面状に突出するように形成してもよい。
【００５２】
図１３はさらに他の実施の形態を示し、立壁７５の背面に対向し得るように当接部８２を制御面３２ａの先端から突出体としての立壁７５に干渉する位置まで帯状に設けている。また、作動体３２とソレノイド３３との連繋は、図１３に示すように操作体６９を介すことなく、作動体３２に突出形成した係止部８０を、ソレノイド３３のプランジャ４１の先端に形成されるダブル皿８１間に直接係止するようにしている。前記ダブル皿８１の形状は、係止部８０に確実に係止するように方形状とするのが好ましい。このとき、プランジャ４１の先端荷重があるため復帰ばね４２は弱くてもよい。８４は作動体３２の回動規制部である。
【００５３】
このように当接部８２を帯状に設けることで、正規な状態で作動体３２が復動する時に、突出体３８，７５が当接部８２に係止して、払出回転体３０の正規位置への復動を妨げることがなく、図１３鎖線に示す球噛み状態の時には必ず突出体３８，７５と接触し、払出回転体３０の順方向への回転を促すようにしている。また、同図に示すように球通路２９を屈曲させることで、流速を緩くすることができ球噛みを発生し難くすることができる。
【００５４】
また、作動体３２の当接部８２に換えて、立壁７５の後面に当接部となる突出部を設けて、当接部８２と同様の働きをさせるようにしてもよい。また、作動体３２の先端を直接立壁７５の基部に衝止するようにして、球噛みを解除したり払出回転体３０を正規位置に誘導させたりするようにしてもよい。
【００５５】
なお、前記突出体としての軸ピン３８及び立壁７５を払出回転体３０の側面に直接突設するようにしたが、払出回転体３０の側面に板状の回転制御体を一体もしくは一体的に形成して、該回転制御体に凹凸部３６，３７と同ピッチで軸ピン３８及び立壁７５を設けるようにしても、図１４に示すように払出回転体３０と同軸３９上に円盤状の回転制御体７８を設け、該回転制御体７８に軸ピン３８（立壁７５）を設けて払出回転体３０と一体的に回転するようにしてもよく、回転制御体７８を設けることで突出体の設置箇所が制約されることがない。
【００５６】
また、前記回転制御体７８を図１５に示すように、ギア７９等の連繋手段により前記払出回転体３０に従動して回転するように連繋して設けるようにしてもよい。このとき、払出回転体３０と一体的に回動するギア７９と回転制御体７８の周縁に設けられたギア比を回転制御体７８側が大きくなるように設定し、回転制御体７８には凹凸部３６，３７の整数倍の突出体（図上軸ピン３８）を所定間隔で設けている。そして、ギア７９を介在させることで払出回転体３０の回転に負荷がかかりブレーキ作用を働かせ、パチンコ球の流下速度を減速することができる。また、当然のことながら回転制御体７８と払出回転体３０のギア７９比により、回転制御体７８の回転速度は払出回転体３０の回転速度より遅くなる。このため、払出回転体３０がパチンコ球の自重により高速の払出しを行ったとしても、確実に突出体（軸ピン３８，立壁７５）間に作動体３０を突入させて、過剰の払出しをすることなく常に安定した状態で払出し個数を制御することができる。また、逆に払出回転体３０が球噛みを起しても、当接部８２により軸ピン３８を僅かに接触移動するだけで、払出回転体３０は大きく移動し楽に球噛みを解消することができる。なお、前記連繋手段はベルト，チェーンであってもよく、払出回転体３０と回転制御体７８とが離れても対応することができる。
【００５７】
なお、本実施の形態において、球通路２９を１条として説明したが複数の球通路としてもよいのはいうまでもなく、軸ピン３８及び立壁７５を複数の球通路２９に臨む払出回転体３０の凹部３６に対応して設けるようにすればよい。このとき、複数の球通路に臨む払出回転体３０を１つのソレノイド３３によって制御するようにしてもよく、１個単位の払出しが可能なようにそれぞれの払出回転体３０のピッチを半ピッチずらして設けるのが好ましい。当然突出体（軸ピン３８，立壁７５）を凹部３６に対応して設けると、払出回転体３０に直接設けるのが難しく、図１４及び図１５に示したように別途回転制御体７８に設けるのがよい。
【００５８】
また、本発明は上記実施の形態に限定されることなく種々の形態に対応可能である。例えば図１６及び図１７に示すように、払出回転体３０の回転を制御する突出体を設けることなく、作動体３２を凸歯３７に直接係合して払出回転体３０の回転を制御するようにしてもよい。図１６鎖線に示すようにソレノイド３３を励磁することにより作動体３２と凸歯３７との係合が外れ、払出回転体３０がフリー状態となり前記球通路２９のパチンコ球が自重で流下することにより払出回転体３０が順方向に従動回転しパチンコ球が払出される。そして、所定個数のパチンコ球が払出され検知センサ４７で検知されると、ソレノイド３３が消磁して同図実線に示すように作動体３２が凸歯３７に係止して払出回転体３０の回動を阻止する。
【００５９】
そして、図１７に示すように、万一球噛み状態が発生し払出回転体３０が回動し得なくなっても、ソレノイド３３が消磁して同図鎖線に示すように作動体３２が復動すると、当接部８２が凸歯３７の背面に当接して払出回転体３０に順方向（図上矢印方向）の回転トルクを付与して、強制的に払出回転体３０を回動させて球噛み状態を解除し、図１６実線位置に示す所定位置に停止させることができる。当接部８２は、当然前記実施の形態で示した帯状に設けるようにしてもよいのはいうまでもない。なお、従来技術に示した球払出装置においてソレノイドに設けられた可動鉄片を作動体として、該可動鉄片に本願発明の当接部を設けるようにすれば同様の効果を奏することができる。
【００６０】
また、上述した払出回転体３０の凸歯３７から凹歯３６にかけての巴形状を、軸心３９からの距離の逓減率を小さくして変形させることによって、払出回転体３０の回転速度を遅くすることができ、つまりはパチンコ球の流下速度を減速するブレーキ効果を得ることができる。このように、払出回転体３０の形状を変えることで、従来通路を蛇行させてブレーキ効果を得ていたのに比べ、余分な場所も取らず効率的である。
【００６１】
なお、払出回転体３０は実施の形態に限定されるものではなく、例えば凸歯を狭くして凹歯が連続的にあるスプロケットとしても、スプロケットを回転方向に捻った形状であっても凹部を交互に位置をずらした回転体であっても、軸方向に流下するリードスクリュー（好ましくはリード角が４５°より大）であっても、球荷重により従動回転する払出回転体であればよい。そして、作動体３２を駆動する電気的駆動源もソレノイド３３に限定されることなく、正逆自在なモータ，ロータリーソレノイド，電磁石であってもよい。また、作動体３２を回動式として凸歯３７及び突出体に係止制御するようにしたが、作動体３２をスライド式として凸歯３７及び突出体に係止制御するようにしてもよい。
【００６２】
また、上述した球払出装置２４に球抜き装置９０を設けるようにしてもよい。例えば球抜き装置９０は図１８に示すように、排出通路部２９ｃと球抜き通路９１とを切替える切替弁９２と該切替弁９２を作動させる作動部材９３とで構成され、該作動部材９３には前記ソレノイド３３のプランジャ４１を強制的に作動させる操作部９４を有している。前記切替弁９２は払出回転体３０の下方に位置して排出通路部２９ｃと球抜き通路９１とを切り替えるように回動自在に軸支９５され、該切替弁９２の一端に形成された軸ピン９６を前記作動部材９３に形成された長孔９７に遊嵌し、作動部材９３をスライドさせることで切替弁９２が回動するようにしている。９８ａ，９８ｂは作動部材９３の常態位置と球抜き位置とを規制する位置決め突起である。抜き操作は作動部材９３を操作して上動させると、それに伴い切替弁９２が回動すると共に操作部９４が上動し、該操作部９４が前記ソレノイド３３のプランジャ４１を強制的に上動させて作動体３２を作動させ、制御面３２ａと突出体７５との係合を解除し、払出回転体３０を球荷重により回転させてパチンコ球を排出通路部２９ｃに排出し、切替弁９２により切替えられた球抜き通路９１に該パチンコ球を導き球抜きする。このとき、作動部材９３は前記位置決め突起９８ｂにより位置決めされ球抜き状態を維持している。このように、作動部材９３を操作すると切替弁９２を切替えると共にソレノイド３３のプランジャ４１を強制的に上動させることができるので、球抜きを手動ですることができ、球抜き時にわざわざソレノイド３３に通電して励磁させることがない。なお、前記切替弁９２と作動部材９３とをポリプロピレン等により一体に形成して、所定箇所を屈曲自在とするようにしても、作動部材９３のスライド操作により切替弁９２を回動させることができ、手動の球抜きは可能である。
【００６３】
なお、本発明の球払出装置２４は、実施の形態に示したパチンコ遊技機に設けられる賞球及び貸球の払出しに限られることなく、パチンコ遊技機間に設けられる球貸し機，球タンク２０への補給機としても適用することができる。さらに、本発明の球払出装置２４が高速の払出しに対応できることから、パチンコ球を賭数として回収して変動図柄を揃えて遊技する「パチロット」の供給皿に設けられるパチンコ球の回収装置及び賞球払出装置にも適用することができる。特に球通路２９を幅広とした球払出装置２４を回収装置として使用した際には、供給皿の整流通路を幅広とすることができ該整流通路を掃除しやすくできる効果を奏する。つまり、本発明の球払出装置は、構成を同じくして使用する球貸し機，補給機，回収装置を含むものである。
【００６４】
【発明の効果】
以上述べたように、本発明に係る球払出装置は、パチンコ球が流下する球通路と、前記球通路に臨んでパチンコ球を外周に設けた凹凸部で支持することにより従動回転する払出回転体と、前記払出回転体の回転を電気的駆動源の作動により制御する作動体とを備え、前記作動体に前記払出回転体が球荷重で回転し得ない状態で接触し、前記払出回転体を球荷重で回転し得る状態に復帰させる当接部を設けるようにしたので、前記払出回転体を確実に正規位置に誘導することができ、球噛み等による不都合を解消することができる。
【図面の簡単な説明】
【図１】本発明が適用されるパチンコ遊技機の正面図である。
【図２】パチンコ遊技機の裏面図である。
【図３】本発明に係る球払出装置の分解斜視図である。
【図４】一部断面にして示す球払出装置の正面図である。
【図５】球払出装置の平断面図である。
【図６】球払出装置の正断面図である。
【図７】当接部の作用を示す要部拡大断面図である。
【図８】検知手段を設けた実施の形態を示す要部拡大断面図である。
【図９】他の実施の形態の球払出装置の正断面図である。
【図１０】図９の側面断面図である。
【図１１】（イ），（ロ）は当接部の作用を示す要部拡大断面図である。
【図１２】他の実施の形態の球払出装置の正断面図である。
【図１３】他の実施の形態の球払出装置の正断面図である。
【図１４】他の実施の形態の球払出装置の側断面図である。
【図１５】他の実施の形態の球払出装置の正断面図である。
【図１６】他の実施の形態の球払出装置の正断面図である。
【図１７】図１６の球噛み状態を示す正断面図である。
【図１８】球抜き装置を設けた球払出装置の正断面図である。
【符号の説明】
２４                  球払出装置
２９                  球通路
２９ａ                流入通路部（球通路）
２９ｂ                移送通路部（球通路）
２９ｃ                排出通路部（球通路）
３０                  払出回転体
３２                  作動体（制御手段）
３２ａ                制御面
３３                  ソレノイド（電気的駆動源）
３４                  回動軸
３６                  凹歯（凹部）
３７                  凸歯（凸部）
３８                  軸ピン（制御用突出体）
７５                  立壁（制御用突出体）
７６                  凹部
７７                  凸部
７８                  回転制御体
８２                  当接部
８５                  センサ（検知手段）
【図１】
2004267302.tif 000003
【図２】
2004267302.tif 000004
【図３】
2004267302.tif 000005
【図４】
2004267302.tif 000006
【図５】
2004267302.tif 000007
【図６】
2004267302.tif 000008
【図７】
2004267302.tif 000009
【図８】
2004267302.tif 000010
【図９】
2004267302.tif 000011
【図１０】
2004267302.tif 000012
【図１１】
2004267302.tif 000013
【図１２】
2004267302.tif 000014
【図１３】
2004267302.tif 000015
【図１４】
2004267302.tif 000016
【図１５】
2004267302.tif 000017
【図１６】
2004267302.tif 000018
【図１７】
2004267302.tif 000019
【図１８】
2004267302.tif 000020